(57)【要約】【課題】  画角の違いに関わらず、ユーザーが好適な記録サイズを選択できるようにすること。【解決手段】  複数の画素を含む撮像素子から読み出す画像の画角を設定する設定手段と、前記設定された画角に応じて、予め決められた複数の縮小率の内、設定可能な縮小率を判定する判定手段と、前記設定可能な縮小率を選択可能に表示する表示手段と、前記表示手段に表示された前記選択可能な縮小率のうちの１つを選択する選択手段とを有する。【選択図】  図２
2020005106.tif 000002
【特許請求の範囲】
【請求項１】
複数の画素を含む撮像素子から読み出す画像の画角を設定する設定手段と、
前記設定された画角に応じて、予め決められた複数の縮小率の内、設定可能な縮小率を判定する判定手段と、
前記設定可能な縮小率を選択可能に表示する表示手段と、
前記表示手段に表示された前記選択可能な縮小率のうちの１つを選択する選択手段と
を有することを特徴とする撮像装置。
【請求項２】
前記画角は、前記撮像素子に含まれる前記複数の画素に対応する第１の画角と、前記第１の画角よりも狭い第２の画角とを含むことを特徴とする請求項１に記載の撮像装置。
【請求項３】
前記複数の縮小率は、縮小した後の画像の画素数が固定の第１の縮小率を含み、
前記判定手段は、前記複数の複数の縮小率のうち、前記第１の縮小率の画素数に基づいて設定された閾値以上の画素数となる縮小率を、前記設定可能な縮小率と判定することを特徴とする請求項１または２に記載の撮像装置。
【請求項４】
前記閾値は、前記第１の縮小率の画素数に１以上の値を乗じた値であることを特徴とする請求項３に記載の撮像装置。
【請求項５】
前記閾値は、前記第１の縮小率の画素数に１以上の値を加算した値であることを特徴とする請求項３に記載の撮像装置。
【請求項６】
前記判定手段は、前記複数の複数の縮小率のうち、予め決められた閾値以上の画素数となる縮小率を、前記設定可能な縮小率と判定することを特徴とする請求項１または２に記載の撮像装置。
【請求項７】
前記判定手段は、前記複数の複数の縮小率のうち、前記複数の画素の画素数に基づいて予め決められた閾値以上の画素数となる縮小率を、前記設定可能な縮小率と判定することを特徴とする請求項１または２に記載の撮像装置。
【請求項８】
前記第１の画角は、フルサイズの撮像素子の大きさに対応し、前記第２の画角は、ＡＰＳ−Ｃサイズの撮像素子の大きさに対応することを特徴とする請求項２に記載の撮像装置。
【請求項９】
前記撮像装置には、着脱可能な交換レンズを装着することができ、
前記設定手段は、ＡＰＳ−Ｃサイズの撮像素子に対応したレンズが装着された場合に、前記第２の画角を設定することを特徴とする請求項８に記載の撮像装置。
【請求項１０】
前記複数の縮小率は、縮小率の低い方から、第１の縮小率、第２の縮小率、第３の縮小率、第４の縮小率を含み、
前記選択手段は、前記第１の画角から前記第２の画角に変更された場合、前記第１の画角で前記第２の縮小率が選択されていた場合に、前記第１の縮小率に変更し、前記第１の画角で前記第３の縮小率が選択されていた場合に、前記第４の縮小率に変更することを特徴とする請求項２、８、９のいずれか１項に記載の撮像装置。
【請求項１１】
前記撮像素子の前記複数の画素それぞれから、画像信号を読み出す読み出し手段と、
前記読み出した画像信号のデータサイズを、前記設定された画角と、前記選択された縮小率とに基づいて変換する変換手段と
を更に有することを特徴とする請求項１乃至１０のいずれか１項に記載の撮像装置。
【請求項１２】
前記撮像素子の前記複数の画素のうち、前記設定手段により設定された画角に対応する領域の画素それぞれから、画像信号を読み出す読み出し手段と、
前記読み出した画像信号のデータサイズを、前記選択された縮小率とに基づいて変換する変換手段と
を更に有することを特徴とする請求項１乃至１０のいずれか１項に記載の撮像装置。
【請求項１３】
前記撮像素子の前記複数の画素のうち、前記設定手段により設定された画角と前記選択された縮小率に基づいて、一部の画素から画像信号を読み出す読み出し手段を更に有することを特徴とする請求項１乃至１０のいずれか１項に記載の撮像装置。
【請求項１４】
設定手段が、複数の画素を含む撮像素子から読み出す画像の画角を設定する設定工程と、
判定手段が、前記設定された画角に応じて、予め決められた複数の縮小率の内、設定可能な縮小率を判定する判定工程と、
表示手段が、前記設定可能な縮小率を選択可能に表示する表示工程と、
選択手段が、前記表示手段に表示された前記選択可能な縮小率のうちの１つを選択する選択工程と
を有することを特徴とする撮像装置の制御方法。
【発明の詳細な説明】
【技術分野】
【０００１】
本発明は、撮像装置及びその制御方法に関するものである。
【背景技術】
【０００２】
従来、デジタルカメラにおいて、ＣＣＤやＣＭＯＳ等の撮像素子から信号を取り出し、電気的にデジタルデータに変換された静止画像を保存する手段として、様々な記録サイズが選べるものがある。一般的には、最も大きな記録サイズ（以降、このサイズを「Ｌサイズ」と呼ぶ。）は、撮像素子を構成する各画素から画像データを読み出した場合の画像のデータサイズと一致している。このＬサイズを基準として、その三分の二や四分の三の大きさに縮小した記録サイズ（以降、このサイズを「Ｍサイズ」と呼ぶ。）や、半分の大きさに縮小した記録サイズ（以降、このサイズを「Ｓ１サイズ」と呼ぶ。）が選択肢として搭載されている。また、最小の記録サイズであり、撮像素子の画素数に依存しないサイズ（以降、このサイズを「Ｓ２サイズ」と呼ぶ。）が選択できる場合もある。Ｓ２サイズは、例えば２４００×１６００の画素数であり、一般にＷＥＢ等の素材として標準的に用いられる。Ｓ２サイズは撮像素子の画素数に依存しないため、様々なデジタルカメラで撮影を行ったとしても同じ画素数の静止画像が得られるため、後で画素数を編集する手間が省ける。
【０００３】
特許文献１では、複数の記録メディアに記録可能なデジタルカメラにおいて、各記録メディアに対し好適な解像度で記録できるようにする技術が記載されている。この技術によれば、記録容量が異なるメディアに対して、同じぐらいの枚数の静止画像を記録することができる。このように、複数の記録サイズを選べることはユーザに大きなメリットをもたらす。
【先行技術文献】
【特許文献】
【０００４】
【特許文献１】特開２００３−１３４３６８号公報
【発明の概要】
【発明が解決しようとする課題】
【０００５】
ここで、デジタルカメラに異なるレンズを装着可能である場合、レンズによっては撮像素子上におけるイメージサークルの大きさが異なることがある。このイメージサークルの大きさが撮像素子よりも小さい場合、撮像素子の有効画素数がイメージサークルの大きさに制限されてしまうために読み出された画像の画角が狭くなり、画像を構成する画素数が少なくなるため、Ｌサイズも小さくなる。この場合、Ｌサイズを基準として縮小されるＭサイズやＳ１サイズも同様に小さくなる。ところが、Ｓ２サイズは撮像素子の画素数に依存しないため、ＭサイズやＳ１サイズがＳ２サイズを下回ってしまうことがある。このように、Ｓ２サイズが最小の記録サイズになるはずが、そうならない場合が出てきてしまい、ユーザに混乱を与えてしまうことがあった。
【０００６】
本発明は上記問題点を鑑みてなされたものであり、画角の違いに関わらず、ユーザーが好適な記録サイズを選択できるようにすることを目的とする。
【課題を解決するための手段】
【０００７】
上記目的を達成するために、本発明の撮像装置は、複数の画素を含む撮像素子から読み出す画像の画角を設定する設定手段と、前記設定された画角に応じて、予め決められた複数の縮小率の内、設定可能な縮小率を判定する判定手段と、前記設定可能な縮小率を選択可能に表示する表示手段と、前記表示手段に表示された前記選択可能な縮小率のうちの１つを選択する選択手段とを有する。
【発明の効果】
【０００８】
本発明によれば、画角の違いに関わらず、ユーザーが好適な記録サイズを選択することができる。
【図面の簡単な説明】
【０００９】
【図１】本発明の実施形態におけるデジタルカメラの外観の一例を示す図。
【図２】第１の実施形態に係るデジタルカメラの機能構成の一部を示すブロック図。
【図３】第１の実施形態における記録サイズの一例を示す図。
【図４】第１の実施形態における記録サイズ設定処理のフローチャート。
【図５】第１の実施形態におけるクロップモード設定メニューとを記録サイズの設定メニューを示す図。
【図６】第２の実施形態における撮像素子とイメージサークルの関係を示す概念図。
【図７】第２の実施形態に係るデジタルカメラの機能構成の一部を示すブロック図。
【図８】第２の実施形態における記録サイズ変更処理のフローチャート。
【発明を実施するための形態】
【００１０】
以下、添付図面を参照して本発明を実施するための形態を詳細に説明する。
【００１１】
＜第１の実施形態＞
図１は、本発明の第１の実施形態における撮像装置としてのデジタルカメラの外観の一例を示す図であり、図１（ａ）は正面図、図１（ｂ）は側面図、図１（ｃ）は背面図である。図１において、カメラ部１０１は、レンズマウント部１０２、撮像素子１０３、レリーズ釦１０４、電子ビューファインダー１０５、メニュー表示釦１０６、十字釦１０７、メニュー項目を選択するセット釦１０８、背面液晶１０９を備えている。なお、本実施形態において、撮像素子１０３は、３：２のフルサイズセンサであり、画素数は３０Ｍとする。また、レンズマウント部１０２には、着脱可能なフルサイズ用の交換レンズを装着することができる。
【００１２】
次に、上記構成を有するデジタルカメラの撮像動作について説明する。不図示の交換レンズをレンズマウント部１０２に装着し、カメラ部１０１を被写体に向けてレリーズ釦１０４を押下すると、不図示の制御マイコンがレンズマウント部１０２を通して装着された交換レンズを制御し、被写体にフォーカスを合わせる。また、撮像素子１０３に結像した画像を用いて測光を行い、最適な明るさになるようにシャッタースピードや絞り、感度を決定する。その後、これらの制御値を用いて撮影が行われる。撮像素子１０３から読み出された画像信号は、後述する画像処理部２０１によってデジタル画像（画像データ）に加工され、ＳＤカードなどのメディアに記録される。
【００１３】
図２は、図１に示すデジタルカメラの機能構成の一部を示すブロック図である。撮像部２００には撮像素子１０３が含まれ、撮影が行われると、撮像部２００から読み出された画像信号は、画像処理部２０１内のＲＡＷデータ処理ブロック２０２に転送される。ＲＡＷデータ処理ブロック２０２では、画像データに様々な補正を行ったり、デジタルゲインによって感度を上げたり、ホワイトバランスを調整したりする。また、画像クロップ設定部２０５からクロップモードが設定されている場合には、ＲＡＷ画像の一部を切り出す処理を行う。
【００１４】
ＯＢ領域４０１なお、クロップモードとは、クロッピングやトリミングにより画角を狭める処理（クロッピング処理）を行うモードであり、画像クロップ設定部２０５を用いてユーザーが設定することができる。なお、本実施形態におけるクロッピング処理は、撮像素子１０３の全画素から画像信号を読み出して、その一部を切り出すものとして説明するが、撮像素子１０３の画素の内、予め決められた一部領域の画素から画像信号を読み出すように制御しても良い。いずれの場合も、クロッピング処理により、撮像素子１０３の全画面から得られる画像よりも狭い画角の画像が得られることになる。その場合、画像クロップ設定部２０５からの設定情報は、ＲＡＷデータ処理ブロック２０２では無く、撮像部２００に供給すれば良い。
【００１５】
ＯＢ領域４０１また、以下の説明において、クロッピング処理を行うか行わないかに関わらず、Ｌサイズの画像では、少なくとも画像に対応する撮像素子１０３の領域の各画素から、間引きや加算を行わずに画像信号を読み出す。
【００１６】
ＲＡＷデータ処理ブロック２０２により処理されたＲＡＷ画像データはＪＰＥＧ現像ブロック２０３に送られ、ＹＵＶフォーマットへの変換、ノイズ除去、色空間変換、ＪＰＥＧ圧縮など様々な画像処理が行われる。このとき、記録サイズ設定部２０６からＬサイズ以外の記録サイズが設定されている場合にはリサイズ処理を行う。最後に、ＪＰＥＧフォーマットに変換された画像データは、記録部２０４で記録媒体に保存される。表示部２０７は電子ビューファインダー１０５や背面液晶１０９を含み、ライブビュー画像や撮影された画像、記録サイズやクロックモードを設定するためのメニューを表示する。
【００１７】
図３は本実施形態における記録サイズの一覧を示す図である。図３（ａ）は、通常の撮影モード（すなわち、クロップモードで無い場合）における記録サイズの一覧を示している。Ｌサイズは、撮像素子１０３の画素数と同じ３０Ｍを記録するためのサイズである（縮小率＝１）。詳細な記録サイズとしては、横幅は６７２０ピクセル、縦幅は４４８０ピクセルである。Ｍサイズは、Ｌサイズを約三分の二に縮小したサイズである（縮小率＝２／３）。単純に計算すると、縦幅は４４８０÷３×２＝２９８６．６６６・・・ピクセルとなるが、ＪＰＥＧ現像ブロック２０３の処理制約から１６ピクセルの倍数にする必要があるため、１６の倍数に丸めると縦幅が２９７６ピクセルとなる。画像の縦横比は３：２なので、横幅は２９７６÷２×３＝４４６４ピクセルとなる。Ｓ１サイズは、Ｌサイズを半分に縮小したサイズなので、縦幅は４４８０÷２＝２２４０ピクセルとなる（縮小率＝１／２）。画像の縦横比は３：２なので、横幅は２２４０÷２×３＝３３６０ピクセルとなる。Ｓ２サイズは、画素数に依らず固定であり、横幅は２４００ピクセル、縦幅は１６００ピクセルである。
【００１８】
図３（ｂ）は、クロップモードが設定されたときの記録サイズの一覧を示している。本実施形態では、クロッピング処理により画角が変更された画像のＬサイズの画素数を１２Ｍとする。この場合、詳細な記録サイズとしては、横幅は４１７６ピクセル、縦幅は２７８４ピクセルである。Ｍサイズは、Ｌサイズを約三分の二に縮小したサイズなので、横幅は１８５６÷２×３＝２７８４ピクセル、縦幅は２７８４÷３×２＝１８５６ピクセルとなる。Ｓ１サイズは、Ｌサイズを半分に縮小したサイズなので、横幅は１３９２÷２×３＝２０８８、縦幅は２７８４÷２＝１３９２となる。ただし、画像サイズは１６の倍数にする必要があるので、１６の倍数になるように数字を丸めると、横幅は２０８０ピクセルとなる。
【００１９】
ＯＢ領域４０１この場合、Ｓ１サイズは、通常の撮影モードにおけるＳ２サイズよりも小さくなってしまう。そこで、第１の実施形態では画素数に閾値を設け、クロップモードが設定されている場合に、閾値よりも小さいサイズを選択できないようにする。一例として、閾値をＳ２サイズの画素数の１．５倍とすると、２４００×１６００×１．５＝５．７６Ｍよりも小さいサイズを選択できないようにする。ただし、閾値の決定の仕方はこれに限られるものでは無く、１．５倍では無く任意に変更しても良いし、任意の数値を加算しても良い。ただし、その値は１以上であることが望ましい。また、本実施形態は、Ｓ２サイズを基準に閾値を計算したが、Ｌサイズを基準に計算しても良い。さらに、閾値に予め決められた画素数を用いても良い。
【００２０】
上述したように閾値を５．７６Ｍとした場合、Ｍサイズは２７８４×１８５６＝５．１７Ｍとなるため、設定できないようにする。Ｓ１サイズはＭサイズよりも画素数が少ないため、同様に設定できないようにする。よって、クロップモードが設定された場合は、閾値以上の画素数を有するＬサイズと、Ｓ２サイズのみが設定可能なサイズとなる。
【００２１】
ＯＢ領域４０１なお、上記例では、クロップモードが設定されたときのＬサイズの画素数を１２Ｍとしたが、これに限られるものでは無く、予め決められた複数の画素数から選択しても良いし、ユーザーが任意の画素数を指定しても良い。また、画素数の指定方法も、例えば、画素数を直接指定したり、撮像素子の全画素に対する割合で指定しても良いし、表示部にクロップする領域を示す枠を表示する等、様々な方法が考えられる。
【００２２】
次に図４を用いて、記録サイズ設定部２０６で行われる処理について説明する。図４は第１の実施形態における記録サイズ設定処理を示すフローチャートである。まず、メニュー表示釦１０６が押されたかどうかを判定し（Ｓ４０１）、押された場合は、Ｓ４０２で、画像クロップ設定部２０５によりクロップモードが設定されたかＯＢ領域４０１（または、画角が変更されたか）どうかを判定する。クロップモードが設定されたと判定した場合は、Ｓ４０３で記録サイズの選択肢として、ＯＢ領域４０１上述した例ではＬサイズとＳ２サイズを設定し、表示部２０７に表示する。一方、Ｓ４０２でクロップモードではないと判定された場合は、Ｓ４０４において記録サイズの選択肢として、全ての記録サイズ（Ｌサイズ、Ｍサイズ、Ｓ１サイズ、Ｓ２サイズ）を設定し、表示部２０７に選択可能に表示する。ユーザは十字釦１０７で所望の記録サイズを選択し、セット釦１０８を押下することで記録サイズを決定することができる。セット釦１０８が押されたかどうかを判定し（Ｓ４０５）、押された場合は、Ｓ４０６で選択された記録サイズに変更し、記録サイズ設定処理を終了させる。
【００２３】
なお、本実施形態では、Ｓ４０３で予めクロップモードのときの記録サイズの選択肢をＬサイズとＳ２サイズに決定しておいた場合を記載したが、Ｓ４０３の処理の中で、各記録サイズを計算し、閾値を用いて判定を行っても良い。
【００２４】
図５（ａ）及び（ｂ）は、Ｓ４０１においてメニュー表示釦１０６が押された場合に表示される画面の一例を示す図である。クロップモードが設定されていない状態では、図５（ａ）に示すメニューが表示部２０７に表示され、ユーザはクロップモードを選択することができる。なお、図５（ａ）及び（ｂ）では、クロップモードとアスペクト比を同時に設定するようなメニュー構成を示している。ＦＵＬＬは撮像素子１０３の縦横比である３：２を示し、ｘ１．６がクロップモードを示しており、１：１、４：３、及び１６：９が各アスペクト比を示している。
【００２５】
図５（ａ）に示すようにＦＵＬＬが選択されている場合（クロップモードが設定されていない場合）、Ｓ４０４において、図５（ｃ）に示すような記録サイズの設定メニューが表示部２０７に表示される。ユーザはＪＰＥＧの記録サイズとしてＬサイズ、Ｍサイズ、Ｓ１サイズ、Ｓ２サイズから選択することができる。また、ＲＡＷ画像が保存できる場合は、ＪＰＥＧ画像を保存しないように設定することも可能である。
【００２６】
一方、図５（ｂ）に示すようにｘ１．６が選択されている場合（クロップモードが設定されている場合）、Ｓ４０３において、図５（ｄ）に示すような記録サイズの設定メニューが表示部２０７に表示され、ユーザはＭサイズとＳ１サイズが選択できなくなる。なお、図５（ｃ）及び（ｄ）では、選択された記録サイズの画素数も表示される。これにより、クロップモードで画角が狭くなることによりＬサイズの画素数が変わっても、ユーザはクロップモードで記録される画素数を確認することができる。
【００２７】
上記の通り第１の実施形態によれば、クロップモードの設定に応じて、設定できる記録サイズを制御することで、ユーザが理解しやすいメニューとなり、画像の最大サイズの違いに関わらず、ユーザーが好適な記録サイズを選択することが可能となる。
【００２８】
＜第２の実施形態＞
次に、本発明の第２の実施形態について説明する。なお、第２の実施形態におけるデジタルカメラの外観は、図１を参照して第１の実施形態で説明したものと同様であるため、説明を省略する。ただし、本第２の実施形態では、レンズマウント部１０２には、フルサイズ用の交換レンズだけではなく、アダプタを介してＡＰＳ−Ｃサイズのセンサ用の交換レンズを装着することができるものとする。
【００２９】
図６は、第２の実施形態における撮像素子１０３と、イメージサークルの関係を示す概念図である。イメージサークル６０１はフルサイズセンサ用の交換レンズを装着したときにできるイメージサークルを示している。イメージサークル６０１は撮像素子１０３の外側にあり、撮像素子１０３全体に光が当たる。これに対し、イメージサークル６０２はＡＰＳ−Ｃセンサ用の交換レンズを装着したときにできるイメージサークルを示している。イメージサークル６０２は撮像素子１０３の内側にあるため、撮像素子１０３全体には光が当たらず、一部にのみ光が当たる。このため、通常の撮影モードで撮影を行うと、周辺領域が暗い静止画像が得られることになる。
【００３０】
一方、クロップモードで記録される撮像領域６０３を、第１の実施形態で説明した横幅を４１７６ピクセル、縦幅が２７８４ピクセル、画素数１２Ｍとすると、撮像領域６０３はイメージサークル６０２の内側となる。そのため、クロップモードで撮影を行うと、全体に光が当たった静止画像が得られる。よって、ＡＰＳ−Ｃセンサ用の交換レンズが装着されたときに、自動的にクロップモードに切り替えることで、全体に光が当たった静止画像を得ることができる。
【００３１】
ここで、クロップモードに自動的に切り替わった際に、第１の実施形態で説明したようにＭサイズ、Ｓ１サイズが設定されていた場合、画像サイズも自動で切り替える必要がある。一般的に記録サイズの初期値がＬサイズであるため、自動で切り替わった際に初期値であるＬサイズを設定しておくこともできる。しかしながら、ユーザがＳ１サイズやＳ２サイズを選択している場合は、解像度よりも保存枚数を優先していることが考えられ、クロップモードへの切り替わり時にＬサイズを設定してしまうことはユーザの意図にそぐわない可能性が高い。そこで、第２の実施形態では、クロップモードに自動的に切り替わった際に、画像サイズを自動的に好適なサイズに変更する。
【００３２】
図７は、第２の実施形態に係るデジタルカメラの機能構成の一部を示すブロック図であり、図２に示す構成にレンズ種別判定部７０１を追加した構成である。それ以外は、図２に示す構成と同様であるため、同じ符号を付し、説明を省略する。
【００３３】
レンズ種別判定部７０１は、レンズマウント部１０２に装着されているレンズのイメージサークルの大きさを取得し、クロップモードで撮影すべきレンズかどうかを判定し、判定結果を画像クロップ設定部２０５に通知する。画像クロップ設定部２０５は、クロップモードで撮影すべきレンズであると判定された場合にクロップモードを設定し、記録サイズ設定部２０６に設定結果を通知する。記録サイズ設定部２０６は、画像クロップ設定部２０５からクロップモードが設定されたことを受け取ると、記録サイズ変更処理を実行し、記録サイズを設定する。ＯＢ領域４０１なお、本第２の実施形態においても、通常の撮影モードとクロップモードにおける記録サイズは、図３の表に示すものとする。
【００３４】
図８は、第２の実施形態に係る記録サイズ変更処理のフローチャートである。まず、Ｓ８０１で、現在の記録サイズを取得する。次に、Ｓ８０２で現在の記録サイズがＬサイズかどうかを判定する。Ｌサイズである場合、Ｓ８０３で現在の記録サイズを次の記録サイズに設定し、記録サイズ変更処理を終了させる。Ｓ８０２でＬサイズではない場合、Ｓ８０４でＭサイズかどうかを判定する。Ｍサイズである場合、Ｓ８０５でＬサイズを次の記録サイズに設定し、記録サイズ変更処理を終了させる。Ｓ８０４でＭサイズではない場合、Ｓ８０６でＳ１サイズかどうかを判定する。Ｓ１サイズである場合、Ｓ８０７でＳ２サイズを次の記録サイズに設定し、記録サイズ変更処理を終了させる。Ｓ８０６でＳ１サイズではない場合、Ｓ８０３で現在の記録サイズであるＳ２サイズを次の記録サイズに設定し、記録サイズ変更処理を終了させる。
【００３５】
このようにフルサイズセンサ用の交換レンズが装着されていたときの記録サイズ設定に応じて、クロップモードに切り替わった際の記録サイズを変更することで、ユーザの意図を汲み取った画像サイズ設定が可能になる。すなわち、Ｍサイズを設定しているときはクロップモード時のＬサイズに変更することで解像度を優先し、Ｓ１サイズを設定しているときはＳ２サイズに変更することで記録枚数を優先する。
【００３６】
なお、記録サイズ変更処理は、レンズが装着されたときだけではなく、ユーザがクロップモードを切り替えたときに実施してもよい。さらに、クロップモードが設定されていないときの画像サイズを記憶しておき、クロップモードが解除された際に、記憶しておいた画像サイズを設定するように制御しても良い。
【００３７】
本発明によれば、自動的にクロップモードが設定された場合でも、好適な記録サイズで画像を記録することができる。
【００３８】
ＯＢ領域４０１なお、上述した第１及び第２の実施形態では、Ｌサイズの画像を読み出した後、設定された記録サイズ（縮小率）に応じて、ＪＰＥＧ現像ブロック２０３においてリサイズ処理を行う場合について説明した。しかしながら、画像クロップ設定部２０５において設定された画角に対応する領域の画素のうち、記録サイズ（縮小率）に応じて、間引きや加算を行いながら、設定された記録サイズの画像を読み出すようにしてもよい。その場合、記録サイズ設定部２０６からの情報は、ＪＰＥＧ現像ブロック２０３では無く、撮像部２００に供給すれば良い。
【符号の説明】
【００３９】
１０１：カメラ部、１０２：レンズマウント部、１０３：撮像素子、１０６：メニュー釦、１０８：セット釦、１０９：背面液晶、２００：撮像部、２０１：画像処理部、２０２：ＲＡＷデータ処理ブロック、２０３：ＪＰＥＧ現像ブロック、２０４：記録部、２０５：クロップ設定部、２０６：記録サイズ設定部、２０７：表示部
【図１】
2020005106.tif 000003
【図２】
2020005106.tif 000004
【図３】
2020005106.tif 000005
【図４】
2020005106.tif 000006
【図５】
2020005106.tif 000007
【図６】
2020005106.tif 000008
【図７】
2020005106.tif 000009
【図８】
2020005106.tif 000010